(57)【要約】    【課題】  高い拭き取り効果、水垢付着防止効果を、簡便な構成によって実現できる水除去体および物体表面水除去装置を提供すること。    【解決手段】  水除去体１は、水が存在する表面から水を除去するためのものであって、該水除去体１は、回転体２の周囲に一または複数の鰭体３Ａ、３Ｂ等が設けられてなり、該鰭体３Ａ等は吸水性の材料からなりかつ可撓性か、もしくは外部の物体との接触時にそれに応じて容易に姿勢を変えられる状態で該回転体２に設けられていることを、主たる構成とする。【選択図】  図１
2007050731.tif 000002
【特許請求の範囲】
【請求項１】
水が存在する表面から水を除去するための水除去体であって、該水除去体は回転体の周囲に一または複数の鰭体が設けられてなり、該鰭体は吸水性の材料からなり、かつ可撓性か、もしくは外部の物体との接触時にそれに応じて容易に姿勢を変えられる状態で該回転体に設けられていることを特徴とする、水除去体。
【請求項２】
前記鰭体は前記回転体の周囲に略等角度で複数設けられていることを特徴とする、請求項１に記載の水除去体。
【請求項３】
前記鰭体は前記回転体の長手方向に沿って設けられていることを特徴とする、請求項１または２に記載の水除去体。
【請求項４】
前記回転体は、水が存在する表面から水を除去するための、略円柱状または略円筒状の吸水性の材料からなる胴体を備えてなることを特徴とする、請求項１ないし３のいずれかに記載の水除去体。
【請求項５】
前記胴体はスポンジ製材料その他の弾性素材からなることを特徴とする、請求項４に記載の水除去体。
【請求項６】
請求項１ないし５のいずれかに記載の水除去体と、該水除去体に吸収された水を脱水するための脱水手段とからなる水除去ユニットを備えた、物体表面水除去装置。
【請求項７】
前記脱水手段は、前記水除去体に吸収された水を絞り出すための、該水除去体に圧設するよう支持された略円筒状の絞り脱水体であることを特徴とする、請求項６に記載の物体表面水除去装置。
【請求項８】
車両表面の水滴を除去することを特徴とする、請求項６または７に記載の物体表面水除去装置。
【発明の詳細な説明】
【技術分野】
【０００１】
本発明は水除去体および物体表面水除去装置に係り、特に、車両の洗車後表面に残る水滴をきれいに拭き取り、それによって車両の窓ガラス等に水垢が付着することを効果的に防止できる、水除去体および物体表面水除去装置に関する。
【背景技術】
【０００２】
車両の洗車においては、洗車後の車体表面に水滴が残るとそれが水垢付着の原因となるため、水滴の除去を確実に行えることが望ましい。確実な水滴の除去によって水垢付着は防止され、特に窓などをきれいな状態に長期間保つことができ、水垢除去作業の回数を減らし、経費低減を図ることもできる。しかし、従来技術には、有効にかかる効果を得ることのできるものがない。
【０００３】
そこで本願出願人は先に、労力や作業時間をかけずに列車・バス等の大型車両の洗車後に残る水滴をきれいに拭き取ることができ、それによって車両の窓ガラス等に水垢が付着することを効果的に防止できる車両表面水滴拭き取り装置の発明を提案している（特許文献１、２）。
【０００４】
【特許文献１】特願２００４−３６５１５７「車輌表面水滴拭き取り装置」（本願出願時、未公開）
【特許文献２】特願２００５−０７６６７９「絞り脱水式車輌表面水滴拭き取り装置」（本願出願時、未公開）
【発明の開示】
【発明が解決しようとする課題】
【０００５】
さて、上記各特許文献において提案した発明によれば、車両の洗車後に残る水滴を相当程度まできれいに拭き取ることができ、それによって車両の窓ガラス等に水垢が付着することをかなり効果的に防止することができる。しかしながら、より高い拭き取り効果、水垢付着防止効果を、より簡便な構成によって発揮できる手段があれば、なお一層便利である。
【０００６】
本発明が解決しようとする課題は、上記従来技術を踏まえて、より高い拭き取り効果、水垢付着防止効果を、より簡便な構成によって実現することのできる、水除去体および物体表面水除去装置を提供することである。
【課題を解決するための手段】
【０００７】
本願発明者は上記課題について検討した結果、回転体周上に吸水性の鰓状の構造を設けることによって上記課題の解決が可能であることを見出し、本発明に至った。すなわち、上記課題を解決するための手段として本願で特許請求される発明、もしくは少なくとも開示される発明は、以下のとおりである。
【０００８】
（１）  水が存在する表面から水を除去するための水除去体であって、該水除去体は回転体の周囲に一または複数の鰭体が設けられてなり、該鰭体は吸水性の材料からなり、かつ可撓性か、もしくは外部の物体との接触時にそれに応じて容易に姿勢を変えられる状態で該回転体に設けられていることを特徴とする、水除去体。
（２）  前記鰭体は前記回転体の周囲に略等角度で複数設けられていることを特徴とする、（１）に記載の水除去体。
（３）  前記鰭体は前記回転体の長手方向に沿って設けられていることを特徴とする、（１）または（２）に記載の水除去体。
（４）  前記回転体は、水が存在する表面から水を除去するための、略円柱状または略円筒状の吸水性の材料からなる胴体を備えてなることを特徴とする、（１）ないし（３）のいずれかに記載の水除去体。
（５）  前記胴体はスポンジ製材料その他の弾性素材からなることを特徴とする、（４）に記載の水除去体。
【０００９】
（６）  （１）ないし（５）のいずれかに記載の水除去体と、該水除去体に吸収された水を脱水するための脱水手段とからなる水除去ユニットを備えた、物体表面水除去装置。
（７）  前記脱水手段は、前記水除去体に吸収された水を絞り出すための、該水除去体に圧設するよう支持された略円筒状の絞り脱水体であることを特徴とする、（６）に記載の物体表面水除去装置。
（８）  車両表面の水滴を除去することを特徴とする、（６）または（７）に記載の物体表面水除去装置。
【発明の効果】
【００１０】
本発明の水除去体および物体表面水除去装置は上述のように構成されるため、これによれば、洗車後の車両の表面など、水の存在する表面に対する水除去・拭き取り手段として、より高い拭き取り効果、水垢付着防止効果を、より簡便な構成によって実現することができる。車両の洗車後の水除去に用いる場合、車両は、列車やバスといった大型の車両の窓ガラスあるいは車体側面はもちろんのこと、乗用車などより型の小さいものであっても、本発明は広く適用することができる。
【発明を実施するための最良の形態】
【００１１】
以下、本発明を図面により詳細に説明する。
図１は、本発明の水除去体の基本的構成を示す説明図である。図示するように本水除去体１は、水が存在する表面から水を除去するためのものであって、該水除去体１は、回転体２の周囲に一または複数の鰭体３Ａ、３Ｂ等が設けられてなり、該鰭体３Ａ等は吸水性の材料からなり、かつ可撓性かもしくは外部の物体との接触時にそれに応じて容易に姿勢を変えられる状態で該回転体２に設けられていることを、主たる構成とする。
【００１２】
図において該鰓体３Ａ等は、全部で３個設けられた構成であるが、これはあくまでも一例であり、設けられる鰓体の数は一または複数であり、特に限定されるものではない。なお、設ける鰓体３Ａ等の数として、製造コストや水除去効果などを総合的に勘案し、特にこれを３〜８個、設けることとすることができる。
【００１３】
該鰓体３Ａ等は、たとえばスポンジ製であるなど吸水性を有するものであり、かつ可撓性かもしくは外部の物体との接触時にそれに応じて容易に姿勢を変えられる状態で該回転体２に設けることができるものである限り、その材質は特に限定されない。またそのサイズ、厚さも特に限定されるものではなく、水除去対象となる表面のサイズ等に応じて、適宜の設計とすることができる。もっとも、該鰓体３Ａ等を複数設ける場合、各鰓体３Ａ等間においては、同一のサイズ、厚さとすることが、均等あるいは画一的な水除去処理を行う上で、望ましい。
【００１４】
本発明水除去体１は上述のように構成されるため、これによれば、洗車後の車両など水のある表面に対して、水除去処理可能な位置・体勢に本水除去体１が位置され、該回転体２が回転することによって該鰓体３Ａ等もそれにつれて回転して処理対象表面に接触し、接触の際に該鰓体３Ａ等はその大面積面において、処理対象表面の形状に合わせてこれに隙間無くないしは貼り付くように接触し、その吸水性により処理対象表面上の水を効果的に吸水して、水が除去される。
【００１５】
図において本水除去体１の鰭体３Ａ等は、前記回転体２の周囲に略等角度で複数設けられている構成とすることができる。つまり、図の例示のように３個の鰓体３Ａ、３Ｂ、３Ｃを設ける場合には、これらの配置間隔を略１２０°とすることができる。また、図示するように本水除去体１は、該鰭体３Ａ等が該回転体２の長手方向に沿って設けられた構成とすることができる。
【００１６】
図示するように本水除去体１の回転体２は、水が存在する表面から水を除去するための、略円柱状または略円筒状の吸水性の材料からなる胴体４を備えた構成とすることができる。すなわち、該回転体２自身がその胴体４において、水除去対象である表面に対して水滴の拭き取り効果、水除去効果を有するのである。該胴体４の材質としてはスポンジ製材料その他の弾性素材を好適に用いることができる。
【００１７】
かかる構成により、本水除去体１では、その胴体４においてまず処理対象表面上の水を吸水して拭き取り、さらに該鰓体３Ａ等が二次的に残っている水を吸水して除去することができる。かかる二段処理的な水除去のためには、該鰓体３Ａ等の幅の合計の長さを、該胴体４の周の長さ未満とし、該胴体４の一部が直接かつ確実に処理対象表面に接触できるようにする。
【００１８】
図２Ａ、２Ｂは、本発明物体表面水除去装置を構成する水除去ユニットの基本的構造を示す平面図である。それぞれ、一の鰓体が絞り脱水体を通過する前の状態、通過中の状態を示したものである。これらに図示するように、上述したいずれかの水除去体１と、該水除去体１に吸収された水を脱水するための脱水手段５とから水除去ユニット１０を構成し、他に前記回転体２の回転駆動機構や支持構造等の装置構造をなすための要素を適宜用いて、物体表面水除去装置を構成することができる。
【００１９】
図において前記脱水手段５は、前記水除去体１に吸収された水を絞り出すための、該水除去体１に圧設するよう支持された略円筒状の絞り脱水体とすることができる。回転体２の回転によって、処理対象表面から該水除去体１の鰓体３Ａ等もしくはこれに加えて前記胴体４に吸収された水は（図２Ａ）、該絞り脱水体（５）位置を通過する際に該絞り脱水体からの圧力によって絞り出され（図２Ｂ）、該水除去体１から排水される。それにより該水除去体１の吸水能力が復元する。
【産業上の利用可能性】
【００２０】
本発明の水除去体および物体表面水除去装置によれば、高い拭き取り効果、水垢付着防止効果を、簡便な構成によって実現することができ、産業上利用価値が高い。
【図面の簡単な説明】
【００２１】
【図１】本発明の水除去体の基本的構成を示す説明図である。
【図２Ａ】本発明物体表面水除去装置を構成する水除去ユニットの基本的構造を示す平面図である。
【図２Ｂ】本発明物体表面水除去装置を構成する水除去ユニットの基本的構造を示す平面図である。
【符号の説明】
【００２２】
１…水除去体
２…回転体
３Ａ、３Ｂ、３Ｃ…鰭体
４…胴体
５…脱水手段
１０…水除去ユニット
【図１】
2007050731.tif 000003
【図２Ａ】
2007050731.tif 000004
【図２Ｂ】
2007050731.tif 000005